【手続補正書】
【提出日】平成17年6月21日(2005.6.21)
【手続補正１】
【補正対象書類名】明細書
【補正対象項目名】発明の名称
【補正方法】変更
【補正の内容】
【発明の名称】回路部品の冷却装置および電子機器
【手続補正２】
【補正対象書類名】明細書
【補正対象項目名】特許請求の範囲
【補正方法】変更
【補正の内容】
【特許請求の範囲】
【請求項１】
発熱する回路部品が熱的に接続される受熱部と、
ファンを支持するファンケーシングと、このファンケーシングに設けられ、空気を放出する排出口とを有し、上記ファンの回転軸線を上記排出口からの空気の放出方向に対し交差させた姿勢で設けられるファンユニットと、
上記受熱部に伝えられた上記回路部品の熱を移送する移送手段と、を具備し、
上記移送手段の一部が上記ファンケーシングの排出口と対向することを特徴とする冷却装置。
【請求項２】
請求項１の記載において、上記受熱部と、この受熱部に並べて配置されたファン取り付け部とを有する放熱パネルをさらに備えており、上記ファンユニットは、上記放熱パネルのファン取り付け部に支持されていることを特徴とする冷却装置。
【請求項３】
請求項２の記載において、上記ファンケーシングは、空気を吸い込む吸込口と、この吸込口と向かい合う開口部とを有し、上記ファンケーシングの開口部は上記放熱パネルによって塞がれているとともに、上記放熱パネルは、上記ファンケーシングと協働して上記吸込口および上記排出口に連なる送風通路を構成することを特徴とする冷却装置。
【請求項４】
請求項２又は請求項３の記載において、上記移送手段はヒートパイプであり、このヒートパイプは、上記受熱部および上記ファン取り付け部に熱的に接続されていることを特徴とする冷却装置。
【請求項５】
請求項２の記載において、上記ヒートパイプは、上記放熱パネルの縁に沿うように配置されていることを特徴とする冷却装置。
【請求項６】
請求項２の記載において、上記放熱パネルは、上記受熱部および上記ファン取り付け部を有する第１の基盤と、この第１の基盤に重ね合わすことで第１の基盤に熱的に接続された第２の基盤とを備え、この第２の基盤は、上記ヒートパイプに熱的に接続される複数の支持部を有することを特徴とする冷却装置。
【請求項７】
筐体と、
上記筐体に収容された発熱する回路部品と、
上記筐体に収容され、上記回路部品を冷却する冷却装置と、を具備し、
上記冷却装置は、
上記回路部品が熱的に接続される受熱部と、
ファンを支持するファンケーシングと、このファンケーシングに設けられ、空気を放出する排出口とを有し、上記ファンの回転軸線を上記排出口からの空気の放出方向に対し交差させた姿勢で設けられるファンユニットと、
上記受熱部に伝えられた上記回路部品の熱を移送する移送手段と、含み、
上記移送手段の一部が上記ファンケーシングの排出口と対向することを特徴とする電子機器。
【請求項８】
請求項７の記載において、上記筐体は、上記ファンケーシングの排出口と向かい合う排気口を有し、上記移送手段の一部は、上記ファンケーシングの排出口と上記筐体の排気口との間に介在されていることを特徴とする電子機器。
【請求項９】
請求項７の記載において、上記冷却装置は、上記受熱部と、この受熱部に並べて配置されたファン取り付け部とを有する放熱パネルをさらに備えており、上記ファンユニットは、上記放熱パネルのファン取り付け部に支持されているとともに、上記移送手段は、上記受熱部の熱を上記ファン取り付け部に移送するヒートパイプであることを特徴とする電子機器。
【手続補正３】
【補正対象書類名】明細書
【補正対象項目名】０００１
【補正方法】変更
【補正の内容】
【０００１】
【発明の属する技術分野】
本発明は、半導体パッケージのような回路部品の冷却装置、およびこの冷却装置を搭載した電子機器に関する。
【手続補正４】
【補正対象書類名】明細書
【補正対象項目名】００１２
【補正方法】変更
【補正の内容】
【００１２】
本発明の目的は、回路部品の冷却性能を充分に確保できる薄くてコンパクトな冷却装置を得ることにある。
【手続補正５】
【補正対象書類名】明細書
【補正対象項目名】００１３
【補正方法】変更
【補正の内容】
【００１３】
本発明の他の目的は、回路部品の冷却性能を充分に確保しつつ、冷却装置を薄くコンパクトに形成することができ、筐体の薄型化にも無理なく対応できる電子機器を得ることにある。
【手続補正６】
【補正対象書類名】明細書
【補正対象項目名】００１４
【補正方法】変更
【補正の内容】
【００１４】
【課題を解決するための手段】
上記目的を達成するため、本発明の一つの形態に係る冷却装置は、
発熱する回路部品が熱的に接続される受熱部と、
ファンを支持するファンケーシングと、このファンケーシングに設けられ、空気を放出する排出口とを有し、上記ファンの回転軸線を上記排出口からの空気の放出方向に対し交差させた姿勢で設けられるファンユニットと、
上記受熱部に伝えられた上記回路部品の熱を移送する移送手段と、を備えており、
上記移送手段の一部が上記ファンケーシングの排出口と対向することを特徴としている。
【手続補正７】
【補正対象書類名】明細書
【補正対象項目名】００１５
【補正方法】変更
【補正の内容】
【００１５】
このような構成によれば、回路部品の熱を移送する移送手段が排出口からの空気によって直接冷却されるので、移送手段を伝わる熱を効率良く放出することができる。よって、回路部品の放熱性が向上する。
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】削除
【補正の内容】
【手続補正１０】
【補正対象書類名】明細書
【補正対象項目名】００１８
【補正方法】変更
【補正の内容】
【００１８】
しかも、ファンユニットは、空気の放出方向に沿うように横置きされるので、ファンユニットの高さ寸法を低く抑えることができる。そのため、回路部品の放熱性を良好に維持しつつ、冷却装置を薄くコンパクトに形成することができる。
【手続補正１１】
【補正対象書類名】明細書
【補正対象項目名】００１９
【補正方法】削除
【補正の内容】
【手続補正１２】
【補正対象書類名】明細書
【補正対象項目名】００２０
【補正方法】削除
【補正の内容】
【手続補正１３】
【補正対象書類名】明細書
【補正対象項目名】００２１
【補正方法】削除
【補正の内容】
【手続補正１４】
【補正対象書類名】明細書
【補正対象項目名】００２２
【補正方法】削除
【補正の内容】
【手続補正１５】
【補正対象書類名】明細書
【補正対象項目名】００２３
【補正方法】削除
【補正の内容】
【手続補正１６】
【補正対象書類名】明細書
【補正対象項目名】００２４
【補正方法】削除
【補正の内容】
【手続補正１７】
【補正対象書類名】明細書
【補正対象項目名】００２５
【補正方法】削除
【補正の内容】
【手続補正１８】
【補正対象書類名】明細書
【補正対象項目名】００２６
【補正方法】削除
【補正の内容】
【手続補正１９】
【補正対象書類名】明細書
【補正対象項目名】００２７
【補正方法】削除
【補正の内容】
【手続補正２０】
【補正対象書類名】明細書
【補正対象項目名】００２８
【補正方法】削除
【補正の内容】
【手続補正２１】
【補正対象書類名】明細書
【補正対象項目名】００２９
【補正方法】削除
【補正の内容】
【手続補正２２】
【補正対象書類名】明細書
【補正対象項目名】００３０
【補正方法】削除
【補正の内容】
【手続補正２３】
【補正対象書類名】明細書
【補正対象項目名】００３１
【補正方法】削除
【補正の内容】
【手続補正２４】
【補正対象書類名】明細書
【補正対象項目名】００３２
【補正方法】削除
【補正の内容】
【手続補正２５】
【補正対象書類名】明細書
【補正対象項目名】００３３
【補正方法】削除
【補正の内容】
【手続補正２６】
【補正対象書類名】明細書
【補正対象項目名】００３４
【補正方法】削除
【補正の内容】
【手続補正２７】
【補正対象書類名】明細書
【補正対象項目名】００３５
【補正方法】削除
【補正の内容】
【手続補正２８】
【補正対象書類名】明細書
【補正対象項目名】００３６
【補正方法】削除
【補正の内容】
【手続補正２９】
【補正対象書類名】明細書
【補正対象項目名】００３７
【補正方法】削除
【補正の内容】
【手続補正３０】
【補正対象書類名】明細書
【補正対象項目名】００３８
【補正方法】削除
【補正の内容】
【手続補正３１】
【補正対象書類名】明細書
【補正対象項目名】００３９
【補正方法】削除
【補正の内容】
【手続補正３２】
【補正対象書類名】明細書
【補正対象項目名】００７５
【補正方法】変更
【補正の内容】
【００７５】
上記ヒートパイプ６２は、熱を移送する手段の一例であり、水あるいはアルコールのような作動媒体が封入されたパイプ本体９１を有している。このパイプ本体９１は、放熱パネル６４の第３の縁部６５ｃに沿って延びる第１の部分９２ａと、放熱パネル６４の第１の縁部６５ａに沿って延びる第２の部分９２ｂとを有し、全体として平面視Ｌ形をなしている。
パイプ本体９１の第１の部分９２ａは、第２の基盤６７の第１の支持部８２ａにかしめて固定されているとともに、パイプ本体９１の第２の部分９２ｂは、第２の基盤６７の第２および第３の支持部８２ｂ，８２ｃにかしめて固定されている。
【手続補正３３】
【補正対象書類名】明細書
【補正対象項目名】０１０８
【補正方法】変更
【補正の内容】
【０１０８】
また、放熱パネル６４を構成する第２の基盤６７は、上記第１ないし第３の支持部８２ａ〜８２ｃの他に第４ないし第６の支持部８２ｄ〜８２ｆを有している。第４および第５の支持部８２ｄ，８２ｅは、第１の基盤６６のファン取り付け部７１に対応した位置に配置されている。第４の支持部８２ｄは、放熱パネル６４の第４の縁部６５ｄに沿って延びており、第５の支持部８２ｅは、放熱パネル６４の第２の縁部６５ｂに沿って延びている。第６の支持部８２ｆは、第１の基盤６６の受熱部７０に対応した位置に配置されている。この第６の支持部８２ｆは、放熱パネル６４の第２の縁部６５ｂに沿って延びており、上記第５の支持部８２ｅと隣り合っている。
【手続補正３４】
【補正対象書類名】明細書
【補正対象項目名】０１３４
【補正方法】変更
【補正の内容】
【０１３４】
【発明の効果】
以上詳述した本発明によれば、回路部品の放熱性を良好に維持しつつ、冷却装置を薄くコンパクトに形成できるとともに、この冷却装置を収容する筐体の薄型化が可能となる。
【手続補正３５】
【補正対象書類名】明細書
【補正対象項目名】０１３５
【補正方法】削除
【補正の内容】
【手続補正３６】
【補正対象書類名】明細書
【補正対象項目名】符号の説明
【補正方法】変更
【補正の内容】
【符号の説明】
１４…筐体、４３…回路部品（ＭＰＵ）、６０…冷却装置、６２，１５１，１７１，１８２…移送手段（ヒートパイプ）、６３…ファンユニット、７０…受熱部、９５…ファンケーシング、９６…ファン、１０４…排出口。
【手続補正３７】
【補正対象書類名】図面
【補正対象項目名】図３
【補正方法】変更
【補正の内容】
【図３】
2000013069.tif 000001